(57)【特許請求の範囲】
【請求項１】
搬送機構によって略水平移動可能とした食品セット用の切断用搬送台と、該切断用搬送台の進行方向前方に固定されたカット刃とを備え、切断用搬送台上の食品をカット刃に通過移動させることで当該食品を複数に切断分割可能としてなる食品切断装置であって、前記カット刃は、垂直、および所定の傾斜角度で固定された複数のカット刃を組み合わせてなることで食品に垂直および斜めの切断を１工程で行えるように構成したことを特徴とする食品切断装置。
【請求項２】
切断用搬送台の底面には、カット刃の刃先位置に合わせて刃先導入用ガイド溝を形成してなる請求項１記載の食品切断装置。
【請求項３】
切断用搬送台の背面側には、食品を保持するための係止用起立板を備え、該係止用起立板は、カット刃の位置に合わせて刃通過用スリットを形成してなる請求項１または２記載の食品切断装置。
【発明の詳細な説明】
【技術分野】
【０００１】
本発明は、巻物食品である例えば長尺棒状の海苔巻きを複数に切断分割するための食品切断装置に関する。
【背景技術】
【０００２】
従来、１本の長さが約１６０ｍｍ、１８０ｍｍ、２００ｍｍ等の長尺棒状の海苔巻きを１口サイズに切り分ける場合には、その殆どが包丁を使って手作業で行っている。
【０００３】
また、近年では、このような長尺棒状の海苔巻きを垂直に切断する工程と、斜めに切断する工程とを別工程で行うための自動海苔巻きカッターまたは自動寿司カッター装置等が普及されてきている。
【０００４】
而して、これら自動海苔巻きカッターおよび自動寿司カッター等は、カット刃を動かすことで、固定配置された海苔巻きおよび寿司を切断する機構となっている。
【特許文献１】特になし
【発明の開示】
【発明が解決しようとする課題】
【０００５】
しかしながら、従来においては、海苔巻きを包丁を使って手作業で切り分ける場合、その殆どが１本ずつの切断であるため、且つ中の具の量によって海苔巻きの太さがそれぞれ異なることから、海苔巻きの切断面が不揃いとなり、しかも斜めカットの場合ではなおさら傾斜面の角度の不揃いが目立ち、海苔巻きパック製品の仕上がり後の見栄えが非常に悪くなる。さらに、切断を手作業で行うことから、この切断面を美しくするためには、作業者自身の技能が要求されることとなり、したがって生産性が悪くなる。
【０００６】
また、従来の自動海苔巻きカッターまたは自動寿司カッター装置等は、垂直切断工程と、斜め切断工程とが互いに別の作業工程で行われることから、１口サイズの海苔巻きの生産能率がかえって劣るものとなる。
【０００７】
さらに、これら自動海苔巻きカッターおよび自動寿司カッター等は、固定配置された海苔巻きおよび寿司に対し、カット刃を動かすことで切断する機構となっていることから、カット刃の往復動可能とするための複雑なクランク装置等を装備しなければならず、カッター装置全体のコストも上がり、しかも常時往復動するカット刃自体にクランク連繋部からの不具合の生じることが頻繁に起こる等という問題点を有している。
【０００８】
そこで、本発明は、叙上のような従来存した諸事情に鑑み案出されたもので、カット刃を動かさなくても、巻物食品としての例えば海苔巻き等を搬送移動させるだけで確実で且つ綺麗に切り分けることができ、しかも食品を複数本束ねてカット刃側に搬送することで、切断面の揃った見栄えの良い１口サイズの海苔巻きが大量生産でき、巻物食品のパック製品としての美的価値感およびこれに伴う購買意欲を向上させることができる食品切断装置を提供することを目的とする。
【課題を解決するための手段】
【０００９】
上述した課題を解決するため、本発明にあっては、搬送機構によって略水平移動可能とした食品セット用の切断用搬送台と、該切断用搬送台の進行方向前方に固定されたカット刃とを備え、切断用搬送台上の食品をカット刃に通過移動させることで当該食品を複数に切断分割可能としてなる食品切断装置であって、前記カット刃は、垂直、および所定の傾斜角度で固定された複数のカット刃を組み合わせてなることで食品に垂直および斜めの切断を１工程で行えるように構成したことを特徴とする。
【００１０】
切断用搬送台の底面には、カット刃の刃先位置に合わせて刃先導入用ガイド溝を形成してなる。
【００１１】
切断用搬送台の背面側には、食品を保持するための係止用起立板を備え、該係止用起立板は、カット刃の位置に合わせて刃通過用スリットを形成してなる。
【発明の効果】
【００１２】
本発明によれば、カット刃を動かさなくても、巻物食品としての例えば海苔巻き等を搬送移動させるだけで確実で且つ綺麗に切り分けることができ、しかも食品を複数本束ねてカット刃側に搬送することで、切断面の揃った見栄えの良い１口サイズの海苔巻きが大量生産でき、巻物食品のパック製品としての美的価値感およびこれに伴う購買意欲を向上させることができる。
【００１３】
すなわち、本発明は、搬送機構によって略水平移動可能とした食品セット用の切断用搬送台と、該切断用搬送台の進行方向前方に固定されたカット刃とを備え、切断用搬送台上の食品をカット刃に通過移動させることで当該食品を複数に切断分割可能としてなるので、海苔巻き等の巻物食品を単に搬送移動させるだけで確実で且つ綺麗に当該食品を切り分けることができ、しかも巻物食品である例えば１本の長さが約１６０ｍｍ、１８０ｍｍ、２００ｍｍ等の長尺棒状の海苔巻きを複数本束ねてカット刃側に搬送することで、各切断面の揃った見栄えの良い１口サイズの海苔巻きが大量生産できる。
【００１４】
また、カット刃は、垂直、および所定の傾斜角度で固定された複数のカット刃を組み合わせてなることで食品に垂直および斜めの切断を１工程で行えるものとしたので、切断用搬送台上の食品の垂直分割カットと斜め分割カットとを略同時に行えることから、一端に斜め切断面を有する１口サイズの海苔巻きの生産能率が向上する。例えば、中央に垂直分割カット用のカット刃を配し、この若干下流側の左右両側に斜め分割カット用のカット刃を設け、且つ切断用搬送台上に５本の巻物食品を載せて搬送すれば、斜め４分割、５本セットの海苔巻きとすることができる。
【００１５】
そして、切断用搬送台の底面には、カット刃の刃先位置に合わせて刃先導入用ガイド溝を形成してなるので、刃先による食品の切断を確実且つ正確に行うことができる。
【００１６】
さらに、切断用搬送台の背面側には、食品を保持するための係止用起立板を備え、該係止用起立板は、カット刃の位置に合わせて刃通過用スリットを形成してなるので、カット刃による切断中、切断用搬送台の搬送方向とは反対側への食品の脱落を未然に防止することができ、切断面の揃った見栄えの良い切断分割を容易且つ確実に行うことができる。
【発明を実施するための最良の形態】
【００１７】
以下、図面を参照して本発明に係る食品切断装置を実施するための最良の一形態を詳細に説明する。
【００１８】
本発明に係る食品切断装置は、１本の長さが約１６０ｍｍ、１８０ｍｍ、２００ｍｍ等の、中に具を備えて長尺棒状となった例えば５本の海苔巻き等の巻物食品Ｐの垂直分割カットおよび斜め分割カットを１工程で略同時に行えるものとした装置である。
【００１９】
すなわち、本装置は、図１乃至図３に示すように、一端側に搬入開口部Ａ、他端側に搬出開口部Ｂを備えた筐体の内部底側に搬送機構Ｑを備えている。この搬送機構Ｑは、筐体内底における左右対称位置に回転軸１を配し、両回転軸１の各端部にはスプロケット２が固設されている。このうち、１つの回転軸１の一端には、図２および図３に示すように、駆動用ローラ３が取り付けられ、筐体上方に配されたモータ等の駆動源Ｍの出力用ローラ４とエンドレスベルト５を介して連繋されている。
【００２０】
そして、前側に位置する左右のスプロケット２、後側に位置する左右のスプロケット２それぞれにはエンドレスチェーン６が各巻回され、これら両エンドレスチェーン６の巡回方向に沿った例えば等間隔４箇所には、後述する切断用搬送台１２を押しながら搬送するための４本の連結バー７が前後の両エンドレスチェーン６に架け渡されることで固定されている。
【００２１】
また、巡回によって上側に位置する両エンドレスチェーン６に沿って、その下側近傍には、切断用搬送台１２を載せるための平面矩形板状の不動支持台８が配置され、搬入開口部Ａから搬入された切断用搬送台１２は、この底側後部を両エンドレスチェーン６の巡回駆動に伴う前記連結バー７の移動によって押されながら不動支持台８の上を前後水平方向にスライド移動されるものとしてある。尚、筐体の搬出開口部Ｂ外側には、切断後の食品Ｐを載せた切断用搬送台１２を受け取るための受台９を配置することができるが、受台９を設けずに手作業で受け取るようにしても良い。
【００２２】
さらに、図１乃至図３に示すように、筐体内部における切断用搬送台１２の進行方向前方（下流側）には、上方の各取付基部１０を介して、１枚の垂直分割カット用のカット刃１１ａ、および例えば３０°〜４５°の傾斜角度で固定された左右の斜め分割カット用のカット刃１１ｂ、１１ｃそれぞれを、上方の各取付基部１０を介して、当該カット刃の長手方向を斜め前方向に向けて傾斜させるようにして固定してある。
【００２３】
このとき、図１、図２、および図５（ａ）乃至（ｃ）に示すように、垂直分割カット用のカット刃１１ａ、斜め分割カット用のカット刃１１ｂ、１１ｃそれぞれを切断用搬送台１２の進行方向に沿って前後にずらして配置させてある。例えば、切断用搬送台１２の進行方向の中央に垂直分割カット用のカット刃１１ａを配し、この若干下流側の左右両側に斜め分割カット用のカット刃１１ｂ、１１ｃを設けることで、例えば切断用搬送台１２上に５本の巻物食品Ｐを載せて搬送することで、図６（ａ）および図６（ｂ）に示すように、斜め４分割となった５本セットの１口サイズの各同長の海苔巻きを形成することができる。このように切断用搬送台１２上の食品Ｐをカット刃に通過移動させることで、食品Ｐに垂直および斜めの切断を１工程で略同時に行えるものとしている。
【００２４】
尚、上記した垂直分割カット用のカット刃１１ａ、および前記３０°〜４５°の傾斜角度で固定された斜め分割カット用のカット刃１１ｂ、１１ｃそれぞれの個数と配置は本発明を何等拘束するものではなく、他の個数や配置となっていても良い。さらには、垂直分割カット用のカット刃１１ａ、および斜め分割カット用のカット刃１１ｂ、１１ｃそれぞれを同じ位置に配置させることで、両カット刃による切断がタイムラグを発生させずに切断用搬送台１２の搬送タイミングに合わせて同時に行われても良いことは勿論である。
【００２５】
切断用搬送台１２は、図４に示すように、その底部上面の中央に、垂直分割カット用のカット刃１１ａの刃先が導入されるよう当該刃先の位置に合わせた垂直溝条による刃先導入用ガイド溝１３ａを形成してある。また、この垂直溝条による刃先導入用ガイド溝１３ａの左右両側には、斜め分割カット用のカット刃１１ｂ、１１ｃの刃先が導入されるよう当該刃先の位置に合わせた斜め溝条による刃先導入用ガイド溝１３ｂ、１３ｃを形成してある。
【００２６】
切断用搬送台１２の背面側には、図４に示すように、食品Ｐを保持するための係止用起立板１４を備えており、該係止用起立板１４の中央には、垂直分割カット用のカット刃１１ａが通過できるよう前記垂直溝条による刃先導入用ガイド溝１３ａと連なった垂直スリット状の刃通過用スリット１５ａを形成してある。また、垂直スリット状の刃通過用スリット１５ａの左右両側には、斜め分割カット用のカット刃１１ｂ、１１ｃが通過できるよう前記左右の斜め溝条による刃先導入用ガイド溝１３ｂ、１３ｃと各連なった斜めスリット状の刃通過用スリット１５ｂ、１５ｃを形成してある。
【００２７】
次に、以上のように構成された本発明に係る食品切断装置の最良の形態についての使用、動作の一例について詳細に説明する。
【００２８】
先ず、図１に示すように、切断用搬送台１２上に例えば５本の巻物食品Ｐを横向き並列状に載せてから、係止用起立板１４を後側に向けて筐体の搬入開口部Ａから内部底面にある搬送機構Ｑにおける不動支持台８上に載せる。このとき、切断用搬送台１２は、搬送機構Ｑの両エンドレスチェーン６に架けられた複数の連結バー７（上面側）の各相互間に１つずつ配置される。
【００２９】
そして、図２に示すように、駆動源Ｍによる搬送機構Ｑの両エンドレスチェーン６の巡回駆動に伴う連結バー７の移動によって、切断用搬送台１２の底面後部側が押されながら不動支持台８の上を水平方向にスライド移動する。
【００３０】
この筐体内部における切断用搬送台１２の進行方向前方（下流側）への搬送移動に伴い、図５（ａ）に示すように、先ず手前にある垂直分割カット用のカット刃１１ａによって５本の巻物食品Ｐそれぞれが中央で切断分割される。
【００３１】
その直後に、図５（ｂ）に示すように、垂直分割カット用のカット刃１１ａの若干下流側に位置する左右両側の斜め分割カット用のカット刃１１ｂ、１１ｃでもって、５本の巻物食品Ｐそれぞれが左右共に斜めに切断分割される。
【００３２】
このように切断用搬送台１２上の食品Ｐをカット刃に通過移動させることで、食品Ｐに対して垂直および斜めの切断を１工程で略同時に行えることから、図６（ａ）に示すように、斜め４分割となった５本セットの１口サイズの各同長の海苔巻きが切断面の揃った状態となって大量に形成されるのである。
【００３３】
切断後には、図５（ｃ）に示すように、切断用搬送台１２ごと筐体の搬出開口部Ｂから受台９側に巻物食品Ｐが受け取られる。このとき、切断用搬送台１２ごと筐体の搬出開口部Ｂから手で直接取り出しても良い。
【００３４】
そして、図６（ｂ）に示すように、切断用搬送台１２から切断されている巻物食品Ｐを取り出して、パック用のトレーＴに、斜めカット部分を互いに揃えるようにして所定の個数だけ載せてから、全体にラッピングを施すことで製品ができあがる。
【図面の簡単な説明】
【００３５】
【図１】本発明を実施するための最良の形態における食品切断装置の使用状態を示す構成平面図である。
【図２】同じく垂直分割カットと斜め分割カットの動作状態を説明する側面図である。
【図３】同じく垂直分割カットと斜め分割カットの動作状態を説明する正面図である。
【図４】同じく切断用搬送台の構成の一例を示す斜視図である。
【図５】同じく垂直分割カットと斜め分割カットの動作状態を説明するもので、（ａ）は搬送されてきた切断用搬送台上の食品を垂直分割カットしている状態の縦断面図、（ｂ）は切断用搬送台上の食品を斜め分割カットしている状態の縦断面図（ｃ）は両カット後の切断用搬送台上の食品を受台上に搬出した状態の縦断面図である。
【図６】同じく海苔巻きの切断分割例を示し、（ａ）は中央の垂直分割カットの左右両側に斜め分割カットを施した状態の海苔巻きの側面図、（ｂ）は海苔巻きパック用のトレーに、斜め切断面を揃えて海苔巻きを収容した状態の斜視図である。
【符号の説明】
【００３６】
Ｐ              巻物食品
Ｑ              搬送機構
Ｔ              トレー
Ａ              搬入開口部
Ｂ              搬出開口部
Ｍ              駆動源
１              回転軸
２              スプロケット
３              駆動用ローラ
４              出力用ローラ
５              エンドレスベルト
６              エンドレスチェーン
７              連結バー
８              不動支持台
９              受台
１０            取付基部
１１ａ          垂直分割カット用のカット刃
１１ｂ、１１ｃ  斜め分割カット用のカット刃
１２            切断用搬送台
１３ａ          垂直溝条による刃先導入用ガイド溝
１３ｂ、１３ｃ  斜め溝条による刃先導入用ガイド溝
１４            係止用起立板
１５ａ          垂直スリット状の刃通過用スリット
１５ｂ、１５ｃ  斜めスリット状の刃通過用スリット
【図１】
0005184187.tif 000002
【図２】
0005184187.tif 000003
【図３】
0005184187.tif 000004
【図４】
0005184187.tif 000005
【図５】
0005184187.tif 000006
【図６】
0005184187.tif 000007